(57)【要約】移動端末には、無線モデム、無線ネットワーク・インタフェースおよびアプリケーション（例えば、ブラウザ・アプリケーションなど）を含みうる。移動端末を動作させる方法には、無線モデムを介して、移動端末のアプリケーションとデータ・ネットワークとの間に第一のデータ・パスを提供することが含まれうる。さらに、第二のデータ・パスが、第一の移動端末の無線ネットワーク・インタフェースと無線モデムとを介して、データ・ネットワークと第二の移動端末との間に提供されてもよい。補明細書では関連するデバイスについても説明されている。
2008526108.tif 000002
【特許請求の範囲】
【請求項１】
無線モデム、無線ネットワークインタフェース及びアプリケーションを備えた第１移動端末を動作させる方法であって、
前記無線モデムを介して、前記第１移動端末が備える前記アプリケーションとデータネットワークとの間に第１データパスを確立するステップと、
前記第１移動端末が備える前記無線モデム及び前記無線ネットワークインタフェースを介して、前記データネットワークと第２移動端末との間に第２データパスを確立するステップと
を備えることを特徴とする方法。
【請求項２】
前記第１移動端末が備える前記無線モデム及び前記無線ネットワークインタフェースを介して、前記データネットワークと第３移動端末との間に第３データパスを確立するステップ
を備えることを特徴とする請求項１に記載の方法。
【請求項３】
前記第２データパスを確立するステップには、
前記第１移動端末において許可された少なくとも１つの認証を登録したリストを生成するステップと、
前記第２移動端末から認証情報を受信するステップと、
認証処理に成功すると、前記データネットワークと前記第２移動端末との間に前記第２データパスを確立するステップと
を備えることを特徴とする請求項１に記載の方法。
【請求項４】
前記認証処理に失敗すると、前記データネットワークと前記第２移動端末との間における前記第２データパスをブロックするステップ
を備えることを特徴とする請求項３に記載の方法。
【請求項５】
前記リストを生成するステップは、
前記第１移動端末が備えるユーザインタフェースを通じて入力された許可された認証コードのユーザ入力を受け付けるステップ
備えることを特徴とする請求項３に記載の方法。
【請求項６】
前記リストを生成するステップには、
前記移動端末が備えるメモリに前記リストを記憶するステップ
を備えることを特徴とする請求項３に記載の方法。
【請求項７】
前記第１データパスと前記第２データパスは同時に提供されることを特徴とする請求項１に記載の方法。
【請求項８】
前記データネットワークはインターネットを含むことを特徴とする請求項１に記載の方法。
【請求項９】
前記無線ネットワークインタフェースは、無線ローカルネットワークインタフェースを含むことを特徴とする請求項１に記載の方法。
【請求項１０】
前記無線ローカルネットワークインタフェースは、ＷｉＦｉ標準規格、Ｂｌｕｅｔｏｏｔｈ標準規格、ＲＦＩＤ標準規格、Ｚｉｇｂｅｅ標準規格およびＷｉＭＡＸ標準規格の少なくとも１つに準拠して動作することを特徴とする請求項９に記載の方法。
【請求項１１】
前記無線モデムは、公衆陸上移動通信網（ＰＬＭＮ）を使用して前記データネットワークとのデータコネクションを確立することを特徴とする請求項１に記載の方法。
【請求項１２】
前記無線モデムは、ＧＳＭ標準規格、ＥＤＧＥ標準規格、ＧＰＲＳ標準規格、ＵＭＴＳ標準規格、ＨＳＤＰＡ標準規格、ＣＤＭＡ標準規格、１ｘＥＶＤＯ標準規格、ＷｉＦｉ標準規格、ＵＷＢ標準規格、ＷｉＭＡＸ標準規格、および、ＣＤＭＡ標準規格の少なくとも１つに準拠した公衆陸上移動通信網を用いて前記データコネクションを提供することを特徴とする請求項１１に記載の方法。
【請求項１３】
前記無線モデムは、パケット交換コネクションを使用した公衆陸上移動通信網（ＰＬＭＮ）を使用して前記データコネクションを確立することを特徴とする請求項１１に記載の方法。
【請求項１４】
前記無線モデムは、回線交換コネクションを使用した公衆陸上移動通信網（ＰＬＭＮ）を使用して前記データコネクションを確立することを特徴とする請求項１１に記載の方法。
【請求項１５】
前記公衆陸上移動通信網（ＰＬＭＮ）を使用して音声無線電話通信サービスを提供するステップをさらに含むことを特徴とする請求項１１に記載の方法。
【請求項１６】
移動端末であって、
データネットワークとの無線データコネクションを提供するように構成された無線モデムと、
少なくとも１つの他の移動端末と無線ネットワークデータコネクションを提供するように構成された無線ネットワークインタフェースと、
前記無線モデムと前記無線ネットワークインタフェースとに接続されたプロセッサと
を含み、
前記プロセッサは、該プロセッサ上で動作しているアプリケーションと前記データネットワークとの間に前記無線モデムを介した第１データパスを確立するよう構成され、かつ、前記プロセッサは、前記データネットワークと第２移動端末との間に前記無線モデム及び前記無線ネットワークインタフェースとを介した第２データパスを確立するよう構成されていることを特徴とする移動端末。
【請求項１７】
前記プロセッサは、前記データネットワークと第３移動端末との間に、前記第１移動端末が備える前記無線モデム及び前記無線ネットワークインタフェースを介した第３データパスを確立するよう構成されていることを特徴とする請求項１６に記載の移動端末。
【請求項１８】
許可された少なくとも１つの認証を登録したリストを含む、前記プロセッサに接続されたメモリをさらに備え、
前記プロセッサは、前記第２移動端末から前記無線ネットワークインタフェースを介して認証情報を受信し、認証処理に成功すると、前記データネットワークと前記第２移動端末との間に前記第２データパスを確立するよう構成されていることを特徴とする請求項１６に記載の移動端末。
【請求項１９】
前記プロセッサは、前記認証処理に失敗すると、前記データネットワークと前記第２移動端末との間における前記第２データパスをブロックするよう構成されていることを特徴とする請求項１８に記載の移動端末。
【請求項２０】
少なくとも１つのユーザ入力装置を備えたユーザインタフェースをさらに含み、
前記プロセッサは、前記ユーザインタフェースを通じて入力された許可された認証コードのユーザ入力を受け付け、受け付けた前記認証コードを前記メモリに記憶するよう構成されていることを特徴とする請求項１８に記載の移動端末。
【請求項２１】
前記第１データパスと前記第２データパスは同時に提供されることを特徴とする請求項１６に記載の移動端末。
【請求項２２】
前記データネットワークはインターネットを含むことを特徴とする請求項１６に記載の移動端末。
【請求項２３】
前記無線ネットワークインタフェースは、無線ローカルネットワークインタフェースを含むことを特徴とする請求項１６に記載の移動端末。
【請求項２４】
こ前記無線ローカルネットワークインタフェースは、ＷｉＦｉ標準規格、Ｂｌｕｅｔｏｏｔｈ標準規格、ＲＦＩＤ標準規格、Ｚｉｇｂｅｅ標準規格およびＷｉＭＡＸ標準規格の少なくとも１つに準拠して動作することを特徴とする請求項２３に記載の移動端末。
【請求項２５】
前記無線モデムは、公衆陸上移動通信網（ＰＬＭＮ）を使用して前記データネットワークとのデータコネクションを確立するよう構成されていることを特徴とする請求項１６に記載の移動端末。
【請求項２６】
前記無線モデムは、ＧＳＭ標準規格、ＥＤＧＥ標準規格、ＧＰＲＳ標準規格、ＵＭＴＳ標準規格、ＨＳＤＰＡ標準規格、ＣＤＭＡ標準規格、１ｘＥＶＤＯ標準規格、ＷｉＦｉ標準規格、ＵＷＢ標準規格、ＷｉＭＡＸ標準規格、および、ＣＤＭＡ標準規格の少なくとも１つに準拠した公衆陸上移動通信網を用いて前記データコネクションを提供する用構成されていることを特徴とする請求項２５に記載の移動端末。
【請求項２７】
前記無線モデムは、パケット交換コネクションを使用した公衆陸上移動通信網（ＰＬＭＮ）を使用して前記データコネクションを確立するよう構成されていることを特徴とする請求項２５に記載の移動端末。
【請求項２８】
前記無線モデムは、回線交換コネクションを使用した公衆陸上移動通信網（ＰＬＭＮ）を使用して前記データコネクションを確立するよう構成されていることを特徴とする請求項２５に記載の移動端末。
【請求項２９】
前記プロセッサは、前記公衆陸上移動通信網（ＰＬＭＮ）を使用して音声無線電話通信サービスを提供するよう構成されていることを特徴とする請求項２５に記載の移動端末。
【発明の詳細な説明】
【技術分野】
【０００１】
本発明は、データ・ネットワーキングの分野に、そしてさらに詳しくは、移動端末および関連デバイスをネットワーキングする方法に関する。
【背景技術】
【０００２】
例えばマイクロソフト・ウィンドウズ(登録商標)ＣＥのオペレーティング・システムを用いるラップトップ・コンピュータ、ノートブック・コンピュータ、ハンドヘルド・コンピュータのような移動端末、Ｐａｌｍ ＯＳのようなオペレーティング・システムを用いる携帯情報端末、および／または、スマートフォン無線電話には、無線インターネット・ブラウザ機能を提供するものがある。例えば、移動端末を、セルラ無線電話網のような公衆陸上移動通信網（ＰＬＭＮ）を介してインターネットに無線で接続（リンク）してもよい。さらに詳しくは、移動端末を、例えば以下に示す標準規格によって提供されるパケット交換接続を用いるＰＬＭＮを介して、インターネットに接続してもよい。すなわち、Ｅｎｈａｎｃｅｄ Ｄａｔａ ＧＳＭ Ｅｎｖｉｒｏｎｍｅｎｔ（ＥＤＧＥ、ＧＳＭ拡張版向けの高速データ・レート）標準規格、汎用パケット無線サービス（ＧＰＲＳ）標準規格、Ｕｎｉｖｅｒｓａｌ Ｍｏｂｉｌｅ Ｔｅｌｅｃｏｍｍｕｎｉｃａｔｉｏｎ Ｓｙｓｔｅｍ（ＵＭＴＳ、第３世代移動体通信システム）標準規格、高速ダウンリンク・パケット・アクセス（ＨＳＤＰＡ）標準規格、符号分割多元接続（ＣＤＭＡ）標準規格、１ｘ Ｅｖｏｌｕｔｉｏｎ Ｄａｔａ Ｏｐｔｉｍｉｚｅｄ（１ｘＥＶＤＯ、データ通信専用の規格）標準規格などがある。
【発明の開示】
【発明が解決しようとする課題】
【０００３】
このように、無線インターネット・アクセスを提供する移動端末には、ＰＬＭＮや無線モデムと通信するように構成されたトランシーバ（通信装置）が具備されうる。さらに、移動端末に対して、ＰＬＭＮ用のデータ・アクセス・アカウントを提供することが必要とされてもよい。さらに詳しく説明すると、個別の無線モデム、ＰＬＭＮトランシーバ（送受信機）および／またはデータ・アクセス・アカウントを、無線インターネット・アクセスを提供するよう構成された各移動端末に対して提供することを必要とされてもよい。
【課題を解決するための手段】
【０００４】
本発明の実施形態によれば、第一の移動端末には、無線モデム、無線ネットワークインタフェースおよびアプリケーション（例えば、ブラウザ・アプリケーションなど）が含まれてもよい。第一の移動端末を動作させる方法には、無線モデムを介して、データネットワークと第一の移動端末が備えたアプリケーションとの間に第一のデータ・パスを提供するステップが含まれてもよい。さらに、第一の移動端末が備えた無線モデムおよび無線ネットワークインタフェースを介して、データネットワークと第二の移動端末との間に第二のデータ・パスを提供するステップが含まれてもよい。加えて、第一の移動端末が備えた無線モデムと無線ネットワークインタフェースを介して、データネットワークと第三の移動端末との間に第三のデータ・パスを提供するステップが含まれてもよい。
【０００５】
また、第二のデータ・パスを提供するステップには、第一の移動端末で許可された少なくとも一つの認証を登録したリストを提供するステップ、第二の移動端末から認証情報を受信するステップ、そして次に、その認証が成功すれば、データネットワークと第二の移動端末との間に第二のデータ・パスを提供するステップが含まれてもよい。別の方法では、データネットワークと第二の移動端末との間の第二のデータ・パスは、認証に失敗すれば、ブロック（遮断）されてもよい。さらに詳しく説明すると、少なくとも一つの許可された認証を登録したリストを提供するステップには、第一の移動端末のユーザインタフェースを介して許可された認証コードのユーザ入力を受け付ける（アクセプトする）ステップを含めてもよい。さらに、少なくとも一つの許可された認証を登録したリストを提供するステップには、第一の移動端末のメモリに、少なくとも一つの許可された認証を登録したリストを記憶するステップが含まれてもよい。
【０００６】
さらに詳しく説明すると、第二のデータ・パスを提供するステップには、また、第一の移動端末で少なくとも一つの許可された認証コードを含むリストを提供するステップ、第二の移動端末から認証コードを受信するステップ、そして次に、その認証コードが、少なくとも一つの許可された認証コードを含むリストに登録された認証コードの一つと整合すれば、データネットワークと第二の移動端末との間に第二のデータ・パスを提供するステップが含まれてもよい。別の方法では、データネットワークと第二の移動端末との間に確立された第二のデータ・パスは、もし受信した認証コードが、少なくとも一つの許可された認証コードを備えたリストに登録されたいずれとも整合しなければ、ブロックされてもよい。さらに詳しく説明すると、少なくとも一つの許可された認証コードを登録したリストを提供するステップには、第一の移動端末のユーザインタフェースを介して、許可された認証コードのユーザ入力を受け付けるステップを含めてもよい。さらに、少なくとも一つの許可された認証コードを登録したリストを提供するステップには、第一の移動端末のメモリに、少なくとも一つの許可された認証コードを登録したリストを記憶することを含めてもよい。
【０００７】
第一および第二のデータ・パスは同時に提供されてもよく、また、データネットワークはインターネットであってもよい。さらに、無線ネットワークインタフェースは、例えば以下の標準規格のどれか一つに準じて動作する無線ローカル・ネットワーク・インタフェースであってもよい。すなわち、ＷｉＦｉ標準規格、Ｂｌｕｅｔｏｏｔｈ標準規格、Ｒａｄｉｏ Ｆｒｅｑｕｅｎｃｙ Ｉｄｅｎｔｉｆｉｃａｔｉｏｎ（ＲＦＩＤ、無線を利用した個体識別）標準規格、Ｚｉｇｂｅｅ標準規格、および／または、ＷｉＭＡＸ標準規格の少なくとも１つに準拠して動作すればよい。
【０００８】
無線モデムは、公衆陸上移動通信網（ＰＬＭＮ）を用いるデータネットワークとデータ接続を提供できてもよく、また、無線モデムは、以下の標準規格の少なくとも一つに準拠した公衆陸上移動通信網とのデータ接続を提供できてもよい。すなわち、Ｇｌｏｂａｌ Ｓｙｓｔｅｍ Ｆｏｒ Ｍｏｂｉｌｅ Ｃｏｍｍｕｎｉｃａｔｉｏｎ（ＧＳＭ）標準規格、Ｅｎｈａｎｃｅｄ Ｄａｔａ ＧＳＭ Ｅｎｖｉｒｏｎｍｅｎｔ（ＥＤＧＥ）標準規格、汎用パケット無線サービス（ＧＰＲＳ）標準規格、Ｕｎｉｖｅｒｓａｌ Ｍｏｂｉｌｅ Ｔｅｌｅｃｏｍｍｕｎｉｃａｔｉｏｎ Ｓｙｓｔｅｍ（ＵＭＴＳ）標準規格、高速ダウンリンク・パケット・アクセス（ＨＳＤＰＡ）標準規格、符号分割多元接続（ＣＤＭＡ）標準規格、１ｘ Ｅｖｏｌｕｔｉｏｎ Ｄａｔａ Ｏｐｔｉｍｉｚｅｄ（１ｘＥＶＤＯ）標準規格、ＷｉＦｉ標準規格、超広帯域無線標準規格、ＷｉＭＡＸ標準規格、および／または、広帯域符号分割多元接続（ＷＣＤＭＡ）標準規格などである。さらに詳しく説明すると、無線モデムは、公衆陸上移動通信網とパケット交換接続、および／または、回線交換接続を用いたデータ接続を提供してもよい。さらに、音声無線電話通信は、公衆陸上移動通信網（ＰＬＭＮ）を用いた第一の移動端末によって提供されてもよい。
【０００９】
本発明のさらなる実施形態によれば、移動端末には、無線モデム、無線ネットワークインタフェース、そして、無線モデムおよび無線ネットワークインタフェースと連結（接続）したプロセッサを含んでもよい。無線モデムは、データネットワークとの無線ネットワーク接続を提供できるように構成されていてもよく、また、無線ネットワークインタフェースは、少なくとも一つの他の移動端末との無線ネットワークによるデータ接続を提供できるように構成されていてもよい。プロセッサは、無線モデムを介して、データネットワークとそのプロセッサ上で走行するアプリケーション（例えば、ブラウザ・アプリケーションなど）との間に、第一のデータ・パスを提供するように構成されていてもよく、また、無線モデムおよび無線ネットワークインタフェースを介して、データネットワークと第二の移動端末との間に、第二のデータ・パスを提供するように構成されていてもよい。さらに、プロセッサは、無線モデムおよび無線ネットワークインタフェースを介して、データネットワークと第三の移動端末との間に、第三のデータ・パスを提供するように構成されていてもよい。
【００１０】
また、移動端末は、プロセッサと連結したメモリを含んでいてもよく、また、そのメモリは少なくとも一つの許可された認証を登録したリストを含んでいてもよい。その上、プロセッサはさらに、無線ネットワークインタフェースを介して第二の移動端末から認証情報を受信するように、そして、もしもその認証が成功すれば、データネットワークと第二の移動端末との間に、第二のデータ・パスを提供できるように構成されていてもよい。別の方法では、プロセッサは、認証が不成功であれば、データネットワークと第二の移動端末との間に確立される第二のデータ・パスをブロックするように構成されてもよい。移動端末には、少なくとも一つのユーザ入力デバイスを持つユーザインタフェースを含んでいてもよく、また、プロセッサは、ユーザインタフェースを介して提供された許可された認証コードを受け取り、かつ、メモリにその許可された認証コードを記憶するように構成されていてもよい。
【００１１】
さらに詳しく説明すると、移動端末には、プロセッサに連結したメモリを含んでいてもよく、また、メモリには、少なくとも一つの許可された認証を登録したリストを含んでいてもよい。さらに、プロセッサは、無線ネットワークインタフェースを介して第二の移動端末から認証情報を受信するように、そして、もしもその認証コードが少なくとも一つの許可された認証コードを登録したリストに登録された認証コードの一つと整合すれば、データネットワークと第二の移動端末との間に、第二のデータ・パスを提供できるように構成されていてもよい。別の方法では、プロセッサは、もしもその認証コードが少なくとも一つの許可された認証コードを登録したリストに登録された認証コードの一つと整合しなければ、データネットワークと第二の移動端末との間の第二のデータ・パスをブロックするように構成されてもよい。移動端末には、少なくとも一つのユーザ入力デバイスを持つユーザインタフェースを含んでいてもよく、また、プロセッサは、ユーザインタフェースを介して提供された許可された認証コードを受け入れ、かつ、メモリにその許可された認証コードを記憶するように構成されていてもよい。
【００１２】
第一および第二のデータ・パスは同時に提供されてもよく、データネットワークはインタフェースであってもよい。さらに、無線ネットワークインタフェースは、無線ローカル・ネットワーク・インタフェースであってもよく、また、無線ローカルネットワークインタフェースは、以下の標準規格の少なくとも一つに準じて動作してもよい。すなわち、ＷｉＦｉ標準規格、Ｂｌｕｅｔｏｏｔｈ標準規格、Ｒａｄｉｏ Ｆｒｅｑｕｅｎｃｙ Ｉｄｅｎｔｉｆｉｃａｔｉｏｎ（ＲＦＩＤ標準規格、無線を利用した個体識別）標準規格、Ｚｉｇｂｅｅ標準規格、および／または、ＷｉＭＡＸ標準規格などである。
【００１３】
無線モデムは、公衆陸上移動通信網（ＰＬＭＮ）を用いるデータネットワークとのデータ接続を提供してもよく、また、無線モデムは、以下の標準規格の少なくとも一つに準拠した公衆陸上移動通信網を用いたデータ接続を提供してもよい。すなわち、Ｇｌｏｂａｌ Ｓｙｓｔｅｍ Ｆｏｒ Ｍｏｂｉｌｅ Ｃｏｍｍｕｎｉｃａｔｉｏｎ（ＧＳＭ）標準規格、Ｅｎｈａｎｃｅｄ Ｄａｔａ ＧＳＭ Ｅｎｖｉｒｏｎｍｅｎｔ（ＥＤＧＥ）標準規格、汎用パケット無線サービス（ＧＰＲＳ）標準規格、Ｕｎｉｖｅｒｓａｌ Ｍｏｂｉｌｅ Ｔｅｌｅｃｏｍｍｕｎｉｃａｔｉｏｎ Ｓｙｓｔｅｍ（ＵＭＴＳ）標準規格、高速ダウンリンク・パケット・アクセス（ＨＳＤＰＡ）標準規格、符号分割多元接続（ＣＤＭＡ）標準規格、１ｘ Ｅｖｏｌｕｔｉｏｎ Ｄａｔａ Ｏｐｔｉｍｉｚｅｄ（１ｘＥＶＤＯ）標準規格、ＷｉＦｉ標準規格、超広帯域標準規格、ＷｉＭＡＸ標準規格、および／または、広帯域符号分割多元接続（ＷＣＤＭＡ）標準規格などである。さらに詳しく説明すると、無線モデムは、公衆陸上移動通信網とパケット交換接続、および／または、回線交換接続を用いたデータ接続を提供してもよい。さらに、プロセッサは、公衆陸上移動通信網（ＰＬＭＮ）を用いた音声無線電話通信を提供するように構成されてもよい。
【発明を実施するための最良の形態】
【００１４】
ここから、本発明について、発明の実施形態を示す添付の図面を参照しながら、さらに十分に説明する。しかし、この発明は多くの異なる形態で実施されてもよく、ここに示した実施形態に限定されると解釈すべきでなく、むしろ、これらの実施形態は、この開示を詳細かつ完全に説明するために提供されており、さらに、当業者にとって本発明を十分に実施できるようにするために提供されている。同じ番号は、終始一貫して、同じ要素を示す。
【００１５】
当業者であれば十分理解できるように、本発明は方法またはデバイス（装置）として実施されてもよい。したがって、本発明は、ハードウエア実施形態、ソフトウエア実施形態またはソフトウエアの側面とハードウエアの側面を合体させた実施形態を採用してもよい。また、ある要素が他の要素に“接続している（ｃｏｎｎｅｃｔｅｄ）”または“連結している（ｃｏｕｐｌｅｄ）”と表現されている場合、直接他の要素に接続または連結していてもよいし、または、介在要素が存在してもよいことも理解されるであろう。対照的に、ある要素が他の要素に“直接接続している”または“直接連結している”と表現された場合、介在要素は全く存在しない。本文書では、用語“および／または”は、リストアップされたものの一つ、またはこれらの２つ以上によるありとあらゆる組合せを含むことを意味する。
【００１６】
また、用語の第一、第二等は、本明細書では、各種の要素を説明するために用いられているが、これらの要素はこれらの用語で制限を受けるべきではないということを理解されるであろう。これらの用語は、単に、ある要素または実施形態を、他の要素または他の実施形態から識別するために用いられている。このように、第一の要素または第一の実施形態は、第二の要素または第二の実施形態と呼ばれてもよいし、同様に、第二の要素または第二の実施形態は、本発明の教示から離れることなく、第一の要素または第二の実施形態と呼ばれてもよい。
【００１７】
図１は、本発明の実施形態による通信システムを図示するブロック図である。図１に示すように、公衆陸上移動通信網２００には、複数の基地局２０１−１乃至２０１−Ｌと、一つ以上の移動電話交換局（ＭＴＳＯ）２０３が含まれてもよく、また、インターネット３００は、データ・デバイス（例えば、サーバなど）４００−１乃至４００−ＭのいずれかとＰＬＭＮ２００との間を連結してもよい。このように、ほぼ使用可能な移動端末、例えば移動端末１０１は、ＰＬＭＮ２００とインターネット３００を介して提供されたデータ・パスを用いて、一つ以上のデータ・デバイス４００−１乃至４００−Ｍにアクセスしてもよい。さらに詳しく説明すると、移動端末１０１とデータ・デバイス４００−１乃至４００−Ｍの一つとの間に確立されるデータ・パスは、基地局２０１−２とＰＬＭＮのＭＴＳＯ２０３を介して提供されてもよい。
【００１８】
このように、移動端末１０１には、インターネット接続をサポートするため、ブラウザ・アプリケーション、ＰＬＭＮ送受信機、および、無線モデムが含まれてもよい。ブラウザ・アプリケーションは、例えばマイクロソフト・インターネット・エクスプローラ、および／または、ネットスケープ・ナビゲータなどの既知のブラウザであってもよく、また、ＰＬＭＮ送受信機、および／または、無線モデムは、例えばＧＳＭ、ＥＤＧＥ、ＧＰＲＳ、ＵＭＴＳ、ＨＳＤＰＡ、ＣＤＭＡ、１ｘＥＶＤＯ、ＷｉＦｉ、ＵＷＢ（ウルトラワイドバンド）、ＷｉＭＡＸ、および／または、ＷＣＤＭＡなどの無線電話標準規格によって提供されてもよい。したがって、例えば、移動端末１０１は、ラップトップ・コンピュータ、ノートブック・コンピュータ、ハンドヘルド・コンピュータ、携帯情報端末（ＰＤＡ）、および／または、無線インターネット・ブラウザ機能とおそらくは他の機能をサポートするスマートフォン無線電話であってもよい。これらの移動端末のいずれか一つに、ＰＬＭＮ送受信機および／または無線モデムの機能が組み込まれてもよい。別の方法では、ＰＬＭＮ送受信機、および／または、無線モデムの機能を追加するための、例えばＥＤＧＥカードなどの取り外し可能な“カード”が、移動端末が備えた互換性のあるスロットまたはコネクタに具備されてもよい。例えば、ノートブック・コンピュータ、ラップトップ・コンピュータおよび／またはハンドヘルド・コンピュータに備えられたパーソナル・コンピュータ・メモリカード国際協会（ＰＣＭＣＩＡ）スロットには、ＰＬＭＮ送受信機および／または無線モデム機能を提供するＥＤＧＥカードを装着することができる。別の方法では、Ｐｅｒｉｐｈｅｒａｌ Ｃｏｍｐｏｎｅｎｔ Ｉｎｔｅｒｃｏｎｎｅｃｔ（ＰＣＩ 、米インテルによるパソコン内部のバスの構成方式）ＥｘｐｒｅｓｓスロットまたはＭｉｎｉ Ｐｅｒｉｐｈｅｒａｌ Ｃｏｍｐｏｎｅｎｔ Ｉｎｔｅｒｃｏｎｎｅｃｔ（ＰＣＩ）Ｅｘｐｒｅｓｓスロットは、ＰＬＭＮ送受信機および／または無線モデム機能を提供する互換性カードを装着できる。他の別の方法では、ＰＬＭＮ送受信機および／または無線モデム機能は、ユニバーサル・シリアル・バス（ＵＳＢ）接続を介して提供されてもよい。したがって、移動端末には、ＰＣカード（例えば、ＰＣカード、Ｅｘｐｒｅｓｓカード３４、Ｅｘｐｒｅｓｓカード５４および／またはＭｉＮｉ ＰＣＩカードなど）、および／またはデータ・モデム（例えば、カスタム組み込みでプラグ・インのモデムおよび／またはモジュールなど）を含めてもよい。移動端末のブラウザ・アプリケーションと無線モデムは、ＰＣカード（例えば、ＰＣカード１６、カードバス、ＰＣＩＥｘｐｒｅｓｓおよび／またはユニバーサル・シリアル・バス（すなわちＵＳＢ））、および／またはモデム／モジュール（例えば、汎用非同期送受信回路ＵＡＲＴ、ユニバーサル・シリアル・バス（ＵＳＢ）、シリアル周辺機器インタフェースＳＰＩ、および／またはカスタム設計のモデム／モジュールなど）インタフェースとに、分割されていてもよい。
【００１９】
また、移動端末１０１には、移動端末１０１と一つ以上の追加移動端末１０３ａ−ｂを含む無線ＬＡＮ（ローカル・エリア・ネットワーク）１００をサポートする無線ＬＡＮ・インタフェーストランシーバ（通信装置）を含んでもよい。無線ＬＡＮ・インタフェース通信装置は、例えば、ＷｉＦｉ（ＩＥＥＥ ８０２．１１）標準規格、パーソナル・エリア・ネットワーク（ＰＡＮ）モードで動作するＢｌｕｅｔｏｏｔｈ標準規格、無線周波数識別（ＲＦＩＤ）標準規格、ＺｉｇＢｅｅ標準規格、および／またはＷｉＭＡＸ標準規格に準拠して提供されてもよい。Ｂｌｕｅｔｏｏｔｈ標準規格については、例えば、Ｄｅｄｉｃａｔｅｄ Ｓｙｓｔｅｍｓ Ｍａｇａｚｉｎｅ  ２００４  Ｑ４のページ２８乃至３３に、“Ｂｌｕｅ Ｔｏｏｔｈ Ｐｒｏｔｏｃｏｌ Ａｒｃｈｉｔｅｃｔｕｒｅ”というタイトル付与された文章で、Ｓａｉｌｅｓｈ Ｒａｔｈｉが説明している。この開示内容のすべては引用により、本明細書に合体されているものとする。また別の方法では、無線ＬＡＮ（無線ＬＡＮ）は、移動端末間の赤外線通信を用いて提供されてもよい。これにより、移動端末１０１と、無線ＬＡＮ１００に含まれる他の移動端末との間で、データを共有および／または伝送することがでる。
【００２０】
無線ＬＡＮの移動端末１０１、１０３ａおよび／または１０３ｂは全く同じ装置である必要はない。例えば、移動端末の一つはスマートフォン無線電話機であってもよく、移動端末のもう一つはラップトップコンピュータ、ノートブックコンピュータおよび／またはハンドヘルド・コンピュータであってもよい。また、さらに他の移動端末はＰＤＡであってもよい。別の方法では、無線ＬＡＮの二つ以上の移動端末１０１、１０３ａおよび／または１０３ｂは、同じタイプであってもよい。
【００２１】
このように、移動端末１０１は、例えばインターネット３００などのデータネットワークと、ＰＬＭＮ無線モデムを用いる移動端末１０１のブラウザ・アプリケーションとの間に、第一のデータ・パスを提供してもよい。本発明の実施形態によれば、移動端末１０１は、また、移動端末１０１が備えるＰＬＭＮ無線モデムと無線ＬＡＮ・インタフェース通信装置とを用いた無線ＬＡＮにおける他の移動端末１０３ａおよび／または１０３ｂと、データネットワーク（例えば、インターネット３００など）との間に、第二のデータ・パスを提供してもよい。第一および第二のデータ・パスは、同時におよび／または異なる時に提供されてもよい。
【００２２】
このように、無線ＬＡＮの単一の移動端末が、無線ＬＡＮにおける他の移動端末のために、ＰＬＭＮ経由でインターネット・アクセスをサポートしてもよい。例えば、移動端末１０１は、ＰＬＭＮ２００を介して音声とデータ通信の両方を提供するスマートフォンであってもよく、そして、また、移動端末１０１の所有者は、移動端末１０３ａ（ラップトップ・コンピュータなど）を所有していてもよい。さらに、スマートフォン・移動端末１０１とラップトップ・コンピュータ・移動端末１０３ａには、それらの間のネットワーク接続を可能とする互換性のある無線ネットワークインタフェース通信装置を含んでもよい。これによって、ラップトップ・コンピュータ・移動端末１０３ａにはＰＬＭＮ２００と直接通信するための装備がないにもかかわらず、ＰＬＭＮ２００を介して、ラップトップ・コンピュータ・移動端末１０３ａとインターネット３００との間に、スマートフォン・移動端末１０１がデータ・パスを提供できる。さらに、あるいは別の方法では、例えばＰＤＡなどの他の移動端末１０３ｂには、互換性のある無線ネットワークインタフェース通信装置を含んでもよい。さらに、第三のデータ・パスが、移動端末１０１とＰＬＭＮ２００を介して、インターネット３００とＰＤＡ移動端末１０３ｂとの間に提供されてもよい。
【００２３】
したがって、移動端末１０３ａおよび／または１０３ｂが、ＰＬＭＮ２００と通信できるように構成されていないにもかかわらず、ＰＬＭＮ２００を用いて、移動端末１０３ａおよび／または１０３ｂに無線インターネット・アクセスが提供されることになる。このように、ＰＬＭＮ２００と通信するよう構成されたデバイスに加入するだけで、ＰＬＭＮと通信するように構成されていない他の全ての移動端末に対して、無線インターネット・アクセスを提供できるようになる。
【００２４】
さらに、移動端末１０１には、少なくとも一つの許可された認証のリストが備えられていてもよい。移動端末１０１は、そのリストを用いて、移動端末１０１を介してインターネット３００にアクセスを許可された一つ以上の他の移動端末を特定する。他の移動端末１０３ａおよび／または１０３ｂからＰＬＭＮ２００とインターネット３００へのデータ・パスを提供する前に、移動端末１０１は、他の移動端末から認証情報を受信してもよい。もし受信した認証情報を用いた認証に成功すれば、移動端末１０１は、他の移動端末１０３ａおよび／または１０３ｂのために、移動端末１０１を介してＰＬＭＮ２００へデータ・パスを提供する。もしその認証が不成功であれば、移動端末１０１は、他の移動端末１０３ａおよび／または１０３ｂのためのデータ・パスをブロック（遮断）してもよい。
【００２５】
さらに詳しく説明すると、移動端末１０１には、少なくとも一つの許可された認証コードを登録したリストが備えられてもよい。移動端末１０１は、そのリストを用いて、移動端末１０１を介したインターネット３００へのアクセスを許可された一つ以上の他の移動端末を特定する。他の移動端末１０３ａおよび／または１０３ｂからＰＬＭＮ２００とインターネット３００へのデータ・パスを提供する前に、移動端末１０１は、他の移動端末から認証コードを受信してもよく、そして、他の移動端末から受信した認証コードを、リストに登録された認証コードと比較してもよい。当該リストには、少なくとも一つの許可された認証コードが登録されている。もしも、他の移動端末からの認証コードが少なくとも一つの許可された認証コードのリストの一つと整合すれば、移動端末１０１は、他の移動端末１０３ａおよび／または１０３ｂのために、移動端末１０１を介したＰＬＭＮ２００へのデータ・パスを提供してもよい。もし、他の移動端末からの認証コードが、少なくとも一つの許可された認証コードを登録したリストの一つと整合しなければ、移動端末１０１は、他の移動端末１０３ａおよび／または１０３ｂのためのデータ・パスをブロックしてもよい。
【００２６】
例えば、移動端末１０１の所有者が、移動端末１０１のユーザインタフェースを介して、許可された認証コードとして一つ以上のパスワードを入力してもよい。さらに、移動端末１０１を介してインターネット３００にアクセスするための条件として、他の移動端末１０３ａ乃至ｂの一つによりパスワードの一つが入力されることを条件としてもよい。例えば、パスワードの一つは移動端末１０３ａのメモリにプログラムされていてもよい。この結果、無線ＬＡＮ接続が移動端末１０１と１０３ａとの間で開始された場合、移動端末１０３ａが自動的にパスワードをメモリから読み出して提供してもよい。別の方法では、無線ＬＡＮ接続が移動端末１０１と１０３ａとの間で開始された場合、移動端末１０３ａのユーザインタフェースを介して、移動端末１０３ａのユーザはパスワードを入力するよう促されてもよい。単一のパスワードで、複数の他の移動端末１０３ａ−ｂが、同じパスワードを用いて、移動端末１０１を介してインターネット３００にアクセスすることを可能としてもよいし、および／または、異なる移動端末または移動端末グループごとに異なるパスワードが用いられてもよい。このように、特定の他のデバイスへのアクセスを制限すること無しに、許可されたパスワードの知識を持った他のデバイスのユーザにのみアクセスを限定することができる。
【００２７】
別の方法では、移動端末１０１の所有者が、移動端末１０１のユーザインタフェースを介して、許可された認証コードとして他の移動端末を特定する一つ以上の識別情報シーケンスを入力してもよい。そして、移動端末１０１を介してインターネット３００にアクセスする条件として、他の移動端末１０３ａ−ｂの一つにより識別情報シーケンスの一つが入力されることを条件としてもよい。例えば、識別情報シーケンスは、製品シリアル番号、電子的シリアル番号、モバイル・シリアル番号、または、他の移動端末１０３ａを一意的に特定する他の全てのシーケンス（例えば、文字数字のシーケンスなど）であってもよい。無線ＬＡＮ接続が移動端末１０１と１０３ａとの間で開始された場合、他の移動端末１０３ａが自動的に識別情報シーケンスを提供してもよい。このように、特定の他のデバイスをどのユーザが使用しているかには依存せずに、当該特定の他のデバイスのみがアクセスできるように限定されるようになる。
【００２８】
このように、移動端末１０１のＰＬＭＮデータ・アクセス・アカウントは、無線ＬＡＮ１００における一つ以上の許可された移動端末１０３ａ−ｂで共有されてもよい。移動端末１０１を介したインターネットへのアクセスを許可する前に、許可された移動端末１０３ａおよび／または１０３ｂが、許可された認証コードを移動端末１０１に提供することを条件とすることにより、移動端末１０１に対するセキュリティが強化されてもよい。したがって、移動端末１０１のユーザは、移動端末１０１を介して、“信頼のおける”個人（例えば、家族のメンバ、親戚、同僚、友人など）が所有する、および／または使用する特定の他の移動端末へのインターネット・アクセスに限定してよい。このように、移動端末１０１への悪意のあるアクセスは減少するであろうし、および／または、移動端末１０１に対するＰＬＭＮデータ・アクセス・アカウントの未許可の使用は減少するであろう。
【００２９】
さらに、無線ＬＡＮ１００を介する移動端末１０１へのアクセスのために、また、移動端末１０１を介するＰＬＭＮ２００とインターネット３００へのアクセスのために、異なるレベルのセキュリティを提供してもよい。例えば、移動端末１０１と１０３ａ−ｂとの間の無線データ接続のためのＷｉＦｉ８０２．１１標準規格に準拠して、認証および／または暗号を提供してもよい。移動端末１０１を介して、無線ＬＡＮ１００における他の全ての移動端末１０３ａ−ｂのために、ＰＬＭＮ２００およびインターネット３００へのアクセスが許可される前に、上記の説明のように、それぞれに対して個別の認証が要請されてもよい。したがって、移動端末１０３ａは、無線ＬＡＮ１００に入ることは許可されるかもしれないが、移動端末１０１を介したＰＬＭＮおよびインターネットへのアクセスはブロックされるかもしれない。一方、移動端末１０３ｂは、無線ＬＡＮ１００に入ることも、移動端末１０１を介したＰＬＭＮおよびインターネットへのアクセスも許可されるかもしれない。
【００３０】
図１に示すように、互換性のある無線ネットワークインタフェースを備えた全ての移動端末（例えば、移動端末ＭＴ−１乃至ＭＴ−Ｎなど）は、無線ＬＡＮ１００を形成してもよく、その結果、無線ＬＡＮ１００における移動端末間でデータを共有できる。このように、移動端末１０１の一つだけが、ＰＬＭＮ２００を介してインターネット３００にデータ・パスを提供するように構成されてもよく、そして、無線ＬＡＮ１００の他の移動端末１０３ａ−ｂに対するインターネット・アクセスは、移動端末１０１とＰＬＭＮ２００を介して提供されることになる。別の方法では、無線ＬＡＮ１００における移動端末の二つ以上のサブセット（補集合）が、ＰＬＭＮ２００を介してインターネット３００にデータ・パスを提供するように構成されてもよい。また、無線ＬＡＮ１００における他の移動端末に対するインターネット・アクセスは、ＰＬＭＮを介してデータ・パスを提供するように構成された移動端末のサブセットを介して提供されてもよい。また、さらに別の方法では、移動端末の二つ以上のサブセットが、ＰＬＭＮ２００を介してデータ・パスを提供するように構成されてもよいが、サブセットの一つの移動端末は、無線ＬＡＮにおける他の移動端末に対するインターネット・アクセスのために、ＰＬＭＮを介したデータ・パスを提供するように選択されてもよい。
【００３１】
ここで、移動端末１０１の実施形態について、図２のブロック図を参照してより詳細に説明する。図２に示されるように、移動端末には、プロセッサ１００９、メモリ１０１１、ユーザインタフェース１０２１、通信装置１００１、および、アンテナ１０１５が含まれてもよい。より詳しくは、通信装置には、無線ＬＡＮ・インタフェース通信装置１００７（他の移動端末１０３ａ−ｂを持つ無線ＬＡＮをサポートする）と無線モデム１００５を持つＰＬＭＮ送受信機（ＰＬＭＮ２００を介して、インターネット３００との無線データ接続をサポートする）を含んでいてもよい。もし、無線電話機能を移動端末１０１が提供するのであれば、ＰＬＭＮ送受信機１００３もまた、ＰＬＭＮ２００を介して提供される音声無線電話通信をサポートしてもよい。移動端末によって提供される機能に依存して、ユーザインタフェース１０２１には、スピーカ１０２１ａ、マイクロフォン１０２１ｂ、ディスプレイ１０２１ｃ（例えば、液晶ディスプレイなど）、ジョイスティック１０２１ｄ、キーパッド１０２１ｅ、タッチセンサー式ディスプレイ１０２１ｆ、ダイアル１０２１ｇ、矢印キー１０２１ｈ、および／またはポインティング・デバイス１０２１ｉ（例えば、マウス、トラック・ボール、タッチ・パッドなど）を含んでもよい。
【００３２】
単一のアンテナが例として図２に示されているが、ＰＬＭＮ送受信機１００３と無線ネットワークインタフェース通信装置１００７には別々のアンテナが提供されていてもよいし、多数のアンテナがＰＬＭＮ送受信機１００３と無線ネットワークインタフェース通信装置１００７で共有されていてもよいし、および／または、多数のアンテナがＰＬＭＮ送受信機１００３と無線ネットワークインタフェース通信装置１００７の一つまたは両方に提供されていてもよい。メモリ１０１１がプロセッサ１００９から分離されて示されているが、メモリ１０１１またはその一部は、プロセッサ１００９の一部分と考えられてもよい。もっと一般的に説明すると、図解のために特別の機能が特別のブロックとして示されているが、異なるブロックの機能および／またはその一部は、合体、分割および／または削除されてもよい。さらに、ユーザインタフェース１０２１の特別の要素が、図解のみのために示されており、そして、移動端末１０１の機能に依存して、追加の、および／または、より少ないユーザインタフェースの要素が、実際には提供されてもよい。例として、タッチセンサー式ディスプレイ１０２１ｆは、ディスプレイ１０２１ｃ無しで、ディスプレイ１０２１ｃ無しで、および／または、ポインティング・デバイス１０２１ｉ無しで、ＰＤＡに提供されてもよい。別の方法では、スピーカ１０２１ａとマイクロフォン１０２１ｂには、スマートフォン無線電話（音声無線電話通信を提供する）を含んでもよいが、スピーカおよび／またはマイクロフォンの一つまたは両方は、ラップトップ・コンピュータ、ノートブック・コンピュータ、ハンドヘルド・コンピュータ、および／または、音声無線電話通信を提供しないＰＤＡでは削除されてもよい。
【００３３】
例えばＧＳＭ、ＥＤＧＥ、ＧＰＲＳ、ＵＭＴＳ、ＨＳＤＰＡ、ＣＤＭＡ、１ｘＥＶＤＯ、ＷｉＦｉ、ＵＷＢ、ＷｉＭＡＸ、および／または、ＷＣＤＭＡなどの標準規格に準拠して、ＰＬＭＮ送受信機１００３は、ＰＬＭＮ２００との広帯域データ接続をサポートしてもよい。さらに詳しく説明すると、ＰＬＭＮ送受信機は、ＰＬＭＮ送受信機１００３とＰＬＭＮ２００を介したプロセッサ１００９からインターネットへの広帯域データ接続を提供してもよい。さらに、ユーザインタフェース１０２１を介して受信したユーザ入力に応じて、ＰＬＭＮ送受信機１００３とＰＬＭＮ２００を介して、インターネット３００にデータを送信したり、インターネットからデータを取得したりするために、プロセッサ１００９は、メモリ１０１１に格納されたブラウザ・アプリケーション（例えば、マイクロソフト・インタフェース・エクスプローラおよび／またはネットスケープ・ナビゲータなど）を用いてもよい。
【００３４】
無線ネットワークインタフェース通信装置１００７は、例えばＷｉＦｉ、Ｂｌｕｅｔｏｏｔｈ、ＲＥＦＤ、ＺｉｇＢｅｅ、および／または、ＷｉＭＡＸなどの標準規格に準拠して、他の互換性のある移動端末と無線ＬＡＮを形成するのをサポートしてもよい。したがって、それらの間でデータ転送が可能となるように、一つ以上の他の移動端末で無線ＬＡＮ１００を確立してもよい。無線ＬＡＮに対するネットワーク・セキュリティ（例えば、暗号および／または認証）は、例えばＷｉＦｉなどの使用されている適用可能なネットワーク標準規格に準拠して提供されてもよい。このように、プロセッサ１０９は、無線ＬＡＮ・通信装置１００７とアンテナ１０１５を介して、他の移動端末からデータを受信してもよく、および／または、他の移動端末にデータを転送してもよい。
【００３５】
したがって、移動端末１０１は、無線モデム１００５を備えたＰＬＭＮ送受信機及びＰＬＭＮ２００を介して、インターネット３００とプロセッサ１００９上で走行するメモリ１０１１からのブラウザ・アプリケーションとの間に、第一のデータ・パスを提供できる。移動端末１０１は、また、無線モデム１００５と無線ＬＡＮ・通信装置１００７を含むＰＬＭＮ送受信機１００３を介して、インターネット３００と他の移動端末（例えば、移動端末１０３ａおよび／または１０３ｂなど）との間に第二のデータ・パスを提供できる。以上で説明したように、移動端末１０１を介して、移動端末１０１が属する無線ＬＡＮに含まれる複数の他の移動端末に対して、複数の第二のデータ・パスを提供してもよい。さらに、第一および第二のデータ・パスは、同時におよび／または異なる時に提供されてもよい。
【００３６】
移動端末１０１を介して他の移動端末がＰＬＭＮとインターネットへアクセスするのを許可する前に、許可された認証コードを他の移動端末が移動端末１０１へ提供することを、移動端末１０１が要求してもよい。例えば、移動端末を介してインターネットにアクセスすることを認可された一つ以上の他の移動端末を特定するために用いる、少なくとも一つの許可された認証コードを登録したリストが、メモリ１０１１に記憶されていてもよい。もう一つ他の移動端末１０３ａおよび／または１０３ｂからＰＬＭＮとインターネットへのデータ・パスを提供する前に、移動端末１０１は、無線ＬＡＮ・インタフェース通信装置１００７を介して、他の移動端末から認証コードを受信してもよい。このように、プロセッサ１００９は、受信した認証コードと、メモリ１０１１に記憶された少なくとも一つの許可された認証コードを登録したリストとを比較してもよい。もし、他の移動端末から受信した認証コードが、メモリ１０１１に記憶された許可された認証コードを登録したリストの一つと整合すれば、移動端末１０１は、無線ＬＡＮ・インタフェース通信装置１００７とＰＬＭＮに対する無線モデム１００５を備えたＰＬＭＮ送受信機１００３を介して、他の移動端末のためのデータ・パスを提供してもよい。もし、他の移動端末からの認証コードが、メモリ１０１１に記憶されたリストに登録されている許可された認証コードの一つと整合しなければ、移動端末１０１のプロセッサ１００９は、ＰＬＭＮへの無線モデム１００５を備えたＰＬＭＮ送受信機１００３を介した、他の移動端末のためのデータ・パスをブロックしてもよい。
【００３７】
例えば、移動端末１０１の所有者が、移動端末１０１のユーザインタフェース１０２１を介して、許可された認証コードとして一つ以上のパスワードをメモリ１０１１に入力してもよい。この場合、無線モデム１００５を備えたＰＬＭＮ送受信機１００３を用いてインターネット３００にアクセスする条件として、他の移動端末からパスワードを入力することを条件としてもよい。例えば、パスワードの一つは他の移動端末のメモリにプログラムされていてもよく、その結果、移動端末１０１と無線ＬＡＮ・インタフェース通信装置１００７を用いる他の移動端末との間で、無線ＬＡＮ接続が開始された場合、他の移動端末が自動的にパスワードを提供してもよい。別の方法では、無線ＬＡＮ接続が移動端末１０１と無線ＬＡＮ・インタフェース通信装置１００７を用いる他の移動端末との間で開始された場合、他の移動端末のユーザインタフェースを介して、他の移動端末のユーザはパスワードを入力するよう促されてもよい。単一のパスワードが使用されてもよい。この場合、複数ある他の移動端末が、同じパスワードを用いて、移動端末１０１における無線モデム１００５を備えたＰＬＭＮ送受信機１００３により、インターネットにアクセスすることが可能となってもよい。および／または、異なる他の移動端末または移動端末グループごとに異なるパスワードが用いられてもよい。このように、特定の他のデバイスへのアクセスを制限すること無しに、許可されたパスワードの知識を持った他のデバイスのユーザにアクセスが限定されてもよい。
【００３８】
別の方法では、移動端末１０１の所有者が、ユーザインタフェース１０２１を介してメモリ１０１１へ、許可された認証コードとして、他の移動端末を特定する一つ以上の識別情報シーケンスを入力してもよい。この場合、無線モデム１００５を備えたＰＬＭＮ送受信機１００３を用いて、インターネットにアクセスする条件として、もう一つ他の移動端末が識別情報シーケンスの一つを入力することが条件とされてもよい。例えば、識別情報シーケンスは、製品シリアル番号、電子的シリアル番号、モバイル・シリアル番号、または、他の移動端末を一意的に特定する他の全てのシーケンス（例えば、文字数字のシーケンスなど）であってもよい。ＰＬＭＮ送受信機１００３と無線モデム１００５を用いて、無線ＬＡＮ接続が移動端末１０１と開始された場合、他の移動端末によって自動的に識別情報シーケンスを提供してもよい。このように、特定の他のデバイスのユーザが誰であるかには無関係に、特定の他のデバイスにアクセスが限定されるようになる。
【００３９】
このように、移動端末１０１のＰＬＭＮデータ・アクセス・アカウントは、無線ＬＡＮ・通信装置１００７を用いる移動端末１０１に接続した一つ以上の許可された移動端末により共有されてもよい。無線モデム１００５を備えたＰＬＭＮ送受信機１００３を介してインターネット・アクセスを許可する前に、他の許可された移動端末が、許可された認証コードを移動端末１０１に提供することを要求することにより、移動端末１０１に対するセキュリティが強化されてもよい。したがって、移動端末１０１のユーザは、移動端末１０１を介して、“信頼のおける”個人（例えば、家族のメンバ、親戚、同僚、友人など）が所有する、および／または使用する特定の他の移動端末によるインターネット・アクセスに限定することができる。このように、移動端末１０１への悪意のあるアクセスは減少するであろうし、および／または、移動端末１０１に対するＰＬＭＮデータ・アクセス・アカウントの未許可の使用も減少するであろう。
【００４０】
さらに、無線ＬＡＮ・インタフェース通信装置１００７を介する移動端末１０１へのアクセスのために、また、無線モデム１００５を備えたＰＬＭＮ送受信機１００３を介したＰＬＭＮとインターネットへのアクセスのために、異なるレベルのセキュリティを提供してもよい。例えば、無線ＬＡＮ・通信装置１００７を用いる他の移動端末との無線データ接続のためのＷｉＦｉ８０２．１１標準規格に準拠して、認証および／または暗号を提供してもよい。無線モデム１００５を備えたＰＬＭＮ送受信機１００３を介して、無線ＬＡＮ・通信装置１００７を用いて提供された無線ＬＡＮの他の移動端末全てのため、ＰＬＭＮへのアクセスが許可される前に、上記で説明したように個々の認証を要求してもよい。したがって、第一の他の移動端末は、許可されて無線ＬＡＮ・インタフェース通信装置１００７にアクセスできるかもしれないが、ＰＬＭＮ送受信機１００３へのアクセスはブロックされるかもしれない。一方、第二の他の移動端末は、許可されて無線ＬＡＮ・インタフェース通信装置１００７だけでなく、ＰＬＭＮ送受信機１００３へのアクセスも許可されるかもしれない。
【００４１】
移動端末１０１は、例えば、ブラウザ・アプリケーションを用いたインターネット・アクセスを提供するため、音声無線電話通信および広帯域データ通信を提供するスマートフォンであってもよい。したがって、無線モデム１００５備えたＰＬＭＮ送受信機１００３および無線ＬＡＮ・インタフェース通信装置１００７は、スマートフォン・移動端末に組み込まれてもよい。さらに、スマートフォン・移動端末にはスピーカ１０２１ａとマイクロフォン１０２１ｂが含まれるであろうが、本格的な文字数字キーボードは省略されてもよい。
【００４２】
別の方法では、移動端末１０１は、ラップトップ・コンピュータ、ノートブック・コンピュータ、ハンドヘルド・コンピュータ、および／または、ＰＤＡであってもよい。ラップトップ・コンピュータ、ノートブック・コンピュータ、ハンドヘルド・コンピュータ、および／または、ＰＤＡでは、無線モデム１００５を備えたＰＬＭＮ送受信機１００３、および／または、無線ＬＡＮ・インタフェース通信装置１００７は、移動端末が備えた互換性のあるスロット（例えば、ＰＣＭＣＩＡ標準規格、ＰＣＭ−Ｅｘｐｒｅｓｓ標準規格、および／または、Ｍｉｎｉ ＰＣＩ−Ｅｘｐｒｅｓｓ標準規格など）に挿入されるカードであってもよい。もし、音声通信が提供されていないのであれば、スピーカ１０２１ａおよび／またはマイクロフォン１０２１ｂは、移動端末１０１から省略されてもよい。ハンドヘルド・コンピュータおよび／またはＰＤＡにとっては、タッチセンサー式ディスプレイ１０２１ｆ、そして、別のディスプレイとキーパッドは省略されてもよい。したがって、移動端末には、ＰＣカード（例えば、ＰＣカード、Ｅｘｐｒｅｓｓカード３４、Ｅｘｐｒｅｓｓカード５４、および／または、Ｍｉｎｉ ＰＣＩカードなど）および／またはデータ・モデム（例えば、カスタム組み込みおよびプラグインのモデムおよび／またはモジュールなど）が含まれてもよい。移動端末のブラウザ・アプリケーションと、無線モデムとは、ＰＣカード（例えば、ＰＣカード１６、ＣａｒｄＢｕｓ、ＰＣＩ Ｅｘｐｒｅｓｓ、および／または、ユニバーサル・シリアル・バスすなわちＵＳＢなど）および／またはモデム／モジュール・インタフェース（例えば、汎用非同期送受信器ＵＡＲＴ、ユニバーサル・シリアル・バスＵＳＢ、シリアル周辺機器インタフェースＳＰＩ、および／または、特別にカスタム設計されたものなど）とによって、分離されていてもよい。
【００４３】
図２に関して上記で説明したように他の移動端末１０３ａ−ｂが提供されてもよい。しかしながら、他の移動端末では、ＰＬＭＮ送受信機１００３と無線モデム１００５を省略してもよい。このように、ＰＬＭＮ送受信機１００３を備えていない他の移動端末１０３ａおよび／または１０３ｂは、移動端末１０１が属した無線ＬＡＮを確立し、かつ、移動端末１０１の無線モデム１００５を備えたＰＬＭＮ１００３を用いて、移動端末１０３ａおよび／または１０３ｂに対するインターネット・アクセスが提供されてもよい。したがって、単一のＰＬＭＮ送受信機１００３および単一のＰＬＭＮデータ・アクセス・アカウントは、複数の移動端末１０１と１０３ａ−ｂに対して、広帯域インターネット・アクセスを提供するために用いられてもよい。本発明のいくつかの実施形態によれば、ＰＬＭＮデータ・アクセスは、ＰＬＭＮ送受信機および／またはモデムを備えていない移動端末のために、間接的に提供される。本発明の追加の実施形態によれば、最低料金回線選択機能（ＬＣＲ）が次のように提供してもよい。すなわち、ネットワーク接続された第一の移動端末に直接ＰＬＭＮデータ・アクセスが提供されている場合であっても、ネットワーク接続された第二の移動端末を介して、第一の移動端末にＰＬＭＮデータ・アクセスが提供されてもよい。言い換えれば、移動端末ネットワークにおける複数の移動端末は、そのネットワーク用のモデム・プールを生成することで、ＰＬＭＮデータ・アクセスを提供してもよい。また、ＰＬＭＮアクセスを提供している一つ以上の移動端末を使用する移動端末に、ＰＬＭＮデータ・アクセス用の最低料金の回線が選択されてもよい。
【００４４】
図と明細書により、本発明の典型的な好ましい実施形態を開示した。特有の用語が使用されているが、それらは一般的かつ説明目的のために用いられているにすぎない。もちろんこれは、特許請求の範囲に記載されている本発明の範囲を制限する目的のためではない。ここで用いられているように、用語“含んでいる”または“含む”はオープンエンド（制限が無く）であって、１つ以上の列挙された要素、ステップ、および／または、機能を含むことを意味する。もっと詳しく説明すれば、強調されるべきことは、用語“含む／含んでいる”は、本明細書で用いられる場合、列挙された特徴、数、ステップ、部品の存在を特定するために用いられ、一つ以上の他の特徴、整数、ステップ、部品またはそのグループの存在または追加を排除する意図はない。
【図面の簡単な説明】
【００４５】
【図１】本発明の実施形態による通信システムと方法を図示するブロック図である。
【図２】本発明の実施形態による移動端末と方法のブロック図である。
【図１】
2008526108.tif 000003
【図２】
2008526108.tif 000004
【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
無線モデム、無線ネットワークインタフェース及びアプリケーションを備えた第１移動端末を動作させる方法であって、
前記無線モデムを介して、前記第１移動端末が備える前記アプリケーションとデータネットワークとの間に第１データパスを確立するステップと、
前記第１移動端末が備える前記無線モデム及び前記無線ネットワークインタフェースを介して、前記データネットワークと第２移動端末との間に第２データパスを確立するステップと
を備え、
前記第２データパスを確立するステップには、
前記第１移動端末において許可された少なくとも１つの認証を登録したリストを生成するステップと、
前記第２移動端末から認証情報を受信するステップと、
前記第２移動端末から受信した前記認証情報を前記リストと比較することによって認証処理を実行するステップと、
前記認証処理に成功すると、前記データネットワークと前記第２移動端末との間に前記第２データパスを確立するステップと
前記認証処理に失敗すると、前記データネットワークと前記第２移動端末との間における前記第２データパスをブロックするステップと
を含むことを特徴とする方法。
【請求項２】
前記第１移動端末が備える前記無線モデム及び前記無線ネットワークインタフェースを介して、前記データネットワークと第３移動端末との間に第３データパスを確立するステップ
を備えることを特徴とする請求項１に記載の方法。
【請求項３】
前記リストを生成するステップは、
前記第１移動端末が備えるユーザインタフェースを通じて入力された許可された認証コードのユーザ入力を受け付けるステップ
備えることを特徴とする請求項１に記載の方法。
【請求項４】
前記リストを生成するステップには、
前記移動端末が備えるメモリに前記リストを記憶するステップ
を備えることを特徴とする請求項１に記載の方法。
【請求項５】
前記第１データパスと前記第２データパスは同時に提供されることを特徴とする請求項１に記載の方法。
【請求項６】
前記データネットワークはインターネットを含むことを特徴とする請求項１に記載の方法。
【請求項７】
前記無線ネットワークインタフェースは、無線ローカルネットワークインタフェースを含むことを特徴とする請求項１に記載の方法。
【請求項８】
前記無線ローカルネットワークインタフェースは、ＷｉＦｉ標準規格、Ｂｌｕｅｔｏｏｔｈ標準規格、ＲＦＩＤ標準規格、Ｚｉｇｂｅｅ標準規格およびＷｉＭＡＸ標準規格の少なくとも１つに準拠して動作することを特徴とする請求項７に記載の方法。
【請求項９】
前記無線モデムは、公衆陸上移動通信網（ＰＬＭＮ）を使用して前記データネットワークとのデータコネクションを確立することを特徴とする請求項１に記載の方法。
【請求項１０】
前記無線モデムは、ＧＳＭ標準規格、ＥＤＧＥ標準規格、ＧＰＲＳ標準規格、ＵＭＴＳ標準規格、ＨＳＤＰＡ標準規格、ＣＤＭＡ標準規格、１ｘＥＶＤＯ標準規格、ＷｉＦｉ標準規格、ＵＷＢ標準規格、ＷｉＭＡＸ標準規格、および、ＣＤＭＡ標準規格の少なくとも１つに準拠した公衆陸上移動通信網を用いて前記データコネクションを提供することを特徴とする請求項９に記載の方法。
【請求項１１】
前記無線モデムは、パケット交換コネクションを使用した公衆陸上移動通信網（ＰＬＭＮ）を使用して前記データコネクションを確立することを特徴とする請求項９に記載の方法。
【請求項１２】
前記無線モデムは、回線交換コネクションを使用した公衆陸上移動通信網（ＰＬＭＮ）を使用して前記データコネクションを確立することを特徴とする請求項９に記載の方法。
【請求項１３】
前記公衆陸上移動通信網（ＰＬＭＮ）を使用して音声無線電話通信サービスを提供するステップをさらに含むことを特徴とする請求項９に記載の方法。
【請求項１４】
移動端末であって、
データネットワークとの無線データコネクションを提供するように構成された無線モデムと、
少なくとも１つの他の移動端末と無線ネットワークデータコネクションを提供するように構成された無線ネットワークインタフェースと、
許可された少なくとも１つの認証を登録したリストを記憶したメモリと、
前記メモリ、前記無線モデム及び前記無線ネットワークインタフェースに接続されたプロセッサと
を含み、
前記プロセッサは、該プロセッサ上で動作しているアプリケーションと前記データネットワークとの間に前記無線モデムを介した第１データパスを確立するよう構成され、かつ、前記プロセッサは、前記データネットワークと第２移動端末との間に前記無線モデム及び前記無線ネットワークインタフェースとを介した第２データパスを確立するよう構成されており、さらに、
前記プロセッサは、前記第２移動端末から前記無線ネットワークインタフェースを介して認証情報を受信し、前記第２移動端末から受信した前記認証情報を前記リストと比較することによって認証処理を実行し、前記認証処理に成功すると、前記データネットワークと前記第２移動端末との間に前記第２データパスを確立し、前記認証処理に失敗すると、前記データネットワークと前記第２移動端末との間における前記第２データパスをブロックするよう構成されていることを特徴とする移動端末。
【請求項１５】
前記プロセッサは、前記データネットワークと第３移動端末との間に、前記第１移動端末が備える前記無線モデム及び前記無線ネットワークインタフェースを介した第３データパスを確立するよう構成されていることを特徴とする請求項１４に記載の移動端末。
【請求項１６】
少なくとも１つのユーザ入力装置を備えたユーザインタフェースをさらに含み、
前記プロセッサは、前記ユーザインタフェースを通じて入力された許可された認証コードのユーザ入力を受け付け、受け付けた前記認証コードを前記メモリに記憶するよう構成されていることを特徴とする請求項１４に記載の移動端末。
【請求項１７】
前記第１データパスと前記第２データパスは同時に提供されることを特徴とする請求項１４に記載の移動端末。
【請求項１８】
前記データネットワークはインターネットを含むことを特徴とする請求項１４に記載の移動端末。
【請求項１９】
前記無線ネットワークインタフェースは、無線ローカルネットワークインタフェースを含むことを特徴とする請求項１４に記載の移動端末。
【請求項２０】
こ前記無線ローカルネットワークインタフェースは、ＷｉＦｉ標準規格、Ｂｌｕｅｔｏｏｔｈ標準規格、ＲＦＩＤ標準規格、Ｚｉｇｂｅｅ標準規格およびＷｉＭＡＸ標準規格の少なくとも１つに準拠して動作することを特徴とする請求項１９に記載の移動端末。
【請求項２１】
前記無線モデムは、公衆陸上移動通信網（ＰＬＭＮ）を使用して前記データネットワークとのデータコネクションを確立するよう構成されていることを特徴とする請求項１４に記載の移動端末。
【請求項２２】
前記無線モデムは、ＧＳＭ標準規格、ＥＤＧＥ標準規格、ＧＰＲＳ標準規格、ＵＭＴＳ標準規格、ＨＳＤＰＡ標準規格、ＣＤＭＡ標準規格、１ｘＥＶＤＯ標準規格、ＷｉＦｉ標準規格、ＵＷＢ標準規格、ＷｉＭＡＸ標準規格、および、ＣＤＭＡ標準規格の少なくとも１つに準拠した公衆陸上移動通信網を用いて前記データコネクションを提供する用構成されていることを特徴とする請求項２１に記載の移動端末。
【請求項２３】
前記無線モデムは、パケット交換コネクションを使用した公衆陸上移動通信網（ＰＬＭＮ）を使用して前記データコネクションを確立するよう構成されていることを特徴とする請求項２１に記載の移動端末。
【請求項２４】
前記無線モデムは、回線交換コネクションを使用した公衆陸上移動通信網（ＰＬＭＮ）を使用して前記データコネクションを確立するよう構成されていることを特徴とする請求項２１に記載の移動端末。
【請求項２５】
前記プロセッサは、前記公衆陸上移動通信網（ＰＬＭＮ）を使用して音声無線電話通信サービスを提供するよう構成されていることを特徴とする請求項２１に記載の移動端末。
【手続補正書】
【提出日】平成19年6月29日(2007.6.29)
【手続補正２】
【補正対象書類名】明細書
【補正対象項目名】０００１
【補正方法】変更
【補正の内容】
【０００１】
本発明は、データ・ネットワーキングの分野に、そしてさらに詳しくは、移動端末および関連デバイスをネットワーキングする方法に関する。
本願は、米国仮出願番号６０／６３８，５１７（出願日２００４年１２月２２日）の優先権を主張するものであり、米国仮出願番号６０／６３８，５１７の内容の全体は本願に合体されているものとする。
【国際調査報告】
2008526108.tif 000005
2008526108.tif 000006
2008526108.tif 000007